(57)【要約】      （修正有）【課題】シューズの底の埃が効率よく取れ、マット生地を洗浄することにより繰り返し使用でき、マット生地の交換、組立作業も容易で、消耗品もないため経済的であり、部品点数も少なく低コストで製造可能なシューズ拭きマットを提供する。【解決手段】台座２と、前記台座上に設けられ、少なくとも上面の一部が上方へ膨出せしめられたクッション材と、前記クッション材の少なくとも上面をカバーするよう交換可能に設けられたマット生地４と、を有することを特徴とする。好適には、前記クッション材とマット生地４とを基板に取り付け、マット本体７を形成する。また、好適には、前記台座２の上面に、前記マット本体７を収容、保持する凹部を形成するようにする。【選択図】図１
0003182141.tif 000002
【実用新案登録請求の範囲】
【請求項１】
台座と、
前記台座上に設けられ、少なくとも上面の一部が上方へ膨出せしめられたクッション材と、
前記クッション材の少なくとも上面をカバーするよう交換可能に設けられたマット生地と、
を有することを特徴とする、シューズ拭きマット。
【請求項２】
前記クッション材とマット生地とを基板に取り付け、マット本体を形成したことを特徴とする、請求項１に記載のシューズ拭きマット。
【請求項３】
前記台座の上面に、前記マット本体を収容、保持する凹部を形成したことを特徴とする、請求項２に記載のシューズ拭きマット。
【請求項４】
前記マット生地の上面に複数の凸条を形成したことを特徴とする、請求項１に記載のシューズ拭きマット。
【請求項５】
前記凸条が、前記マット生地の一部を折り畳んで重ね、当該重ねた部分を互いに接合することにより形成したことを特徴とする、請求項４に記載のシューズ拭きマット。
【請求項６】
前記クッション材が、その上面を略円筒面状に盛り上げた蒲鉾型の弾力性を有する多孔質材であることを特徴とする、請求項１に記載のシューズ拭きマット。
【請求項７】
前記クッション材がスポンジ製であることを特徴とする、請求項１に記載のシューズ拭きマット。
【請求項８】
前記台座の底面に滑り止め部材を取り付けたことを特徴とする、請求項１に記載のシューズ拭きマット。
【考案の詳細な説明】
【技術分野】
【０００１】
本考案は、シューズ拭きマットに関し、主にスポーツシューズ等の底の埃の拭取りに好適なシューズ拭きマットに関するものである。
【背景技術】
【０００２】
バトミントンやバスケットボールなどの競技中に、床の清掃が不十分な体育館等では、シューズの底に床の埃が付着して滑りやすく、危険である。
このような問題を解消するために、例えば特許文献１に記載のような靴拭きマットが提案されているが、特殊な構造のマット基板を用いるため製造コストが高くつくという問題点があった。
また、特許文献２〜７には、粘着シートを用いた各種の埃取りマットが開示されているが、粘着シートは消耗品であって、比較的頻繁に新たなシートと交換する必要があり、洗うなどして再利用することは不可能で、また、交換を容易にするために複数枚重ねてセットすると、靴底の形状に合わせて変形することが困難となり、靴底への接触性能が低下するという問題点があった。
【先行技術文献】
【特許文献】
【０００３】
【特許文献１】特開２０１０−２４６７３７号公報
【特許文献２】特開平８−１６４１０８号公報
【特許文献３】特開２０１２−３４８０６号公報
【特許文献４】実開平６−２１５７２号公報
【特許文献５】実開昭５８−３７８６６号公報
【特許文献６】実開昭６１−１５１６６２号公報
【特許文献７】実開平４−１４０４１号公報
【考案の概要】
【考案が解決しようとする課題】
【０００４】
本考案はこれらの問題点を解決するためになされたものであり、その目的は、シューズの底の埃が効率よく取れ、マット生地を洗浄することにより繰り返し使用でき、マット生地の交換、組立作業も容易で、消耗品もないため経済的であり、部品点数も少なく低コストで製造可能なシューズ拭きマットを提供せんとするにある。
【課題を解決するための手段】
【０００５】
上記目的を達成するために本考案に係るシューズ拭きマットは、台座と、前記台座上に設けられ、少なくとも上面の一部が上方へ膨出せしめられたクッション材と、前記クッション材の少なくとも上面をカバーするよう交換可能に設けられたマット生地と、を有することを特徴とする。
【０００６】
前記クッション材とマット生地の形状の安定性及び台座への取付け時の安定性を確保するため、前記クッション材とマット生地とを基板に取り付け、マット本体を形成することが推奨されるが、本考案は必ずしもこれに限定されるものではない。
【０００７】
前記台座の上面には、前記マット本体を収容、保持する凹部を形成することが推奨されるが、本考案は必ずしもこれに限定されるものではない。
【０００８】
靴底の埃取り効果を向上させるため、前記マット生地の上面に複数の凸条を形成することが推奨される。この凸条の形状や数は特に限定されない。
【０００９】
前記凸条は、前記マット生地の一部を折り畳んで重ね、当該重ねた部分を互いに縫合や接着等により接合することによって形成することが可能である。
【００１０】
靴底との接触性能と埃取り効果を向上させるため、前記クッション材は、その上面を略円筒面状に盛り上げた蒲鉾型の弾力性を有する多孔質材とすることが推奨されるが、必ずしもこれに限定されない。
【００１１】
前記クッション材は、その性状及びコスト面からスポンジ製とすることが推奨されるが、必ずしもこれに限定されるものではない。
【００１２】
設置時の安定性を確保するため、前記台座の底面に滑り止め部材を取り付けることが推奨される。
【考案の効果】
【００１３】
本考案に係るシューズ拭きマットは、少なくとも上面の一部が上方へ膨出せしめられたクッション材の作用により、マット生地の上面の一部が所定の弾力性をもって上方へ膨出せしめられるため、靴底との接触性能が良好に保たれ、靴底の良好な埃取り効果が確保されるものである。また、従来の粘着シートタイプのように使い捨てではなく、マット生地を洗って再使用することが可能であるから、２〜３枚のマット生地を用意しておけば、それらのマット生地の使い回しが可能で、消耗品がなく、経済的である。また、部品点数も少なく、構造がシンプルで、組立も容易であり、製造コストも安く済み、経費節減、資源保護にも寄与し得るものである。
【図面の簡単な説明】
【００１４】
【図１】本考案に係るシューズ拭きマットの一実施例を示す斜視図である。
【図２】図１中のＡ−Ａ線に沿った断面図である。
【図３】本考案に係るシューズ拭きマットの使用状態を示す説明図である。
【考案を実施するための形態】
【００１５】
以下、本考案に係るシューズ拭きマットの好ましい実施例を図面に基いて説明するが、本考案はこの実施例に限らず、各部の形状、寸法、材質、等々の仕様は使用条件、製造コスト等々に応じて、種々様々に変更実施することが可能である。
【００１６】
図１〜３に示した実施例に係る本考案に係るシューズ拭きマット１は、台座２上にマット本体７を載置固定して成るものである。マット本体７は、クッション材３と基板５を重ねた状態でマット生地４できつく包み、当該マット生地４の両端部に縫い付けたマジックテープ（登録商標）６ａ、６ｂで留めたものである。基板５を用いてクッション材３とマット生地４とを結合させることにより、マット本体の保形性を図り、後述する台座２に設けた凹部２ａに挿入固定し易くする利点があるが、固定に問題がなければ、クッション材３をマット生地４で包んでマット本体を形成させてもよい。また、マット生地４をクッション材３の周りに巻き付けて固定する方法としては、他にもクッション材の両端部を固定するホック、或はマット生地４の両端部を基板５へ取り付ける固定用のネジやビス、さらにはバンドなどであってもよく、その固定手段に限定はない。
【００１７】
クッション材３は、少なくともその上面の一部が上方へ膨出せしめられ、このクッション材の少なくとも上面をカバーするようマット生地４が取り付けられ、これにより、マット生地４の上面の一部も上方へ膨出せしめられるようになっている。図示した実施例において、前記クッション材３は、その上面を略円筒面状に盛り上げた蒲鉾型の弾力性を有するスポンジ等の多孔質材によって構成されている。ホックや止めネジ、ビス、バンドなどを用いる場合には、複数個用いられることが好ましい。台座２には、前記マジックテープ（登録商標）６ａ、６ｂが重ね合わされた部分を逃がすに窪所２ｃが形成されている。
【００１８】
前記台座２の上面には、前記マット本体７を収容、保持する凹部２ａが形成され、マット本体７の下部をこの凹部２ａ内へ嵌め合わせることにより、マット本体７が台座２に対して安定して保持され、靴底の埃の拭き取り作業に支障がないようになっている。この場合、マット本体７の基板５が台座２の凹部２ａ内へマット生地４を介在させて嵌め込まれるので、ぴったりと密着した堅固な連結状態が得られるものである。また、マット本体７の下部を台座２の凹部２ａ内へ嵌め合わせるだけで、マット本体７と台座２との連結が完了するため、組立作業が簡易化できる。尚、マット本体７と台座２との結合は、例えば、台座２の側面２ｄ、２ｅとマット本体７の基板５とをネジ止めする等によっても可能である。台座２や基板５は好適にはプラスチックで作製される。
【００１９】
前記マット生地４は、ナイロン、レーヨン、ポリエステル、コットン等の繊維素材をパイル状に織製したものなど各種のマット生地を使用できる。マット生地４の上面には、靴底の埃取り効果を向上させるため、複数の凸条４ａ、４ａを形成することが推奨される。これらの凸条４ａ、４ａは、図示する如く前記マット生地の一部を摘むように折り畳んで重ね、当該重ねた部分を互いに縫合や接着等により接合することによって形成することが可能であるが、その形成手段は問わない。また、これらの凸条の形状や数は特に限定されない。
【００２０】
設置時の安定性を確保するため、前記台座２の底面２ｂにゴム等の摩擦力の大きな滑り止め部材８を取り付けることが望ましい。
【００２１】
本考案のシューズ拭きマット１の寸法の一例は、図１において、ａ＝２５０ｍｍ、ｂ＝３００ｍｍ程度であるが、これに限定されるものではない。
【００２２】
靴底の埃の拭き取り時には、図３に示すように、シューズ９の底をシューズ拭きマット１のマット生地４の上面に当てがい、前後に数回擦り動かすことによって、靴底の埃はマット生地４により拭き取られるものであり、特に凸条４ａ、４ａによる払拭効果が大きい。更に、本考案のシューズ拭きマット１においては、マット生地４の上面の一部がクッション材３によって所定の弾力性をもって上方へ膨出せしめられており、マット生地４の上面の形状が靴底の形状に合わせて容易に変形し得るようになっているため、靴底との接触性能が良好に保たれ、靴底の踵の前の凹部９ａなどにもマット生地４の表面が満遍なく接触し、靴底の良好な埃取り効果が確保されるものである。
【００２３】
多数回の使用によりマット生地４が汚れた場合には、台座２からマット本体７を取り出し、マジックテープ（登録商標）６ａ、６ｂを外してマット生地４を新たなものと交換する。汚れたマット生地４は水洗い等をすることにより繰り返し使用できる。
【００２４】
尚、本考案は上記実施例に限定されるものではなく、各部の形状、寸法、材質、取付け手段、等々は使用条件、製造コスト等々に応じて最適なよう設計変更されるものであり、本考案はそれらの変更実施例をすべて包摂するものである。
【産業上の利用可能性】
【００２５】
本考案は以上のように構成したので、シューズの底の埃が効率よく拭き取れ、マット生地を洗浄することにより繰り返し使用でき、マット生地の交換、組立作業も容易で、消耗品もないため経済的であり、部品点数も少なく低コストで製造可能なシューズ拭きマットを提供し得るものである。
【符号の説明】
【００２６】
１      シューズ拭きマット
２      台座
３      クッション材
４      マット生地
５      基板
６ａ、６ｂ  マジックテープ（登録商標）
７      マット本体
８      滑り止め部材
９      シューズ
【図１】
0003182141.tif 000003
【図２】
0003182141.tif 000004
【図３】
0003182141.tif 000005